(57)【要約】      （修正有）【課題】組み立て分解が容易であり且つ廃棄もし易い折り畳み式陳列棚を提供する。【解決手段】左後板３００および右後板４００を中央後板２００の左右端に、左外支持板５００を左後板に、左内支持板５５０および右内支持板６５０を中央後板に、右外支持板６００を右後板に、前板７００を左後板および右後板にそれぞれ連結する。棚板８００を左外支持板、左内支持板、右外支持板および右内支持板に載置する。左外支持板５００、左内支持板５５０、右外支持板６００および右内支持板６５０が前板７００を膨らませた状態から、棚板８００を上方に傾倒し、左後板３００を左方に、右後板４００を右方に伸ばす。また、左外支持板５００、左内支持板５５０、右外支持板６００、右内支持板６５０および前板７００を中央後板、左後板および右後板と平行にして平板状に折り畳み可能とする。【選択図】図１
0003195976.tif 000002
【実用新案登録請求の範囲】
【請求項１】
上下方向に延在する中央後板（２００）と、
該中央後板の左端に連結された左折曲部（３１０）を有する、前記中央後板から左方に延びる左後板であって、前記左折曲部を前方から見て山折りすることで右方に縮み、該山折りを展開することで左方に伸びる左後板（３００）と、
前記中央後板の右端に連結された右折曲部（４１０）を有する、前記中央後板から右方に延びる右後板であって、前記右折曲部を前方から見て山折りすることで左方に縮み、該山折りを展開することで右方に伸びる右後板（４００）と、
前記左後板の前記左折曲部より左方の前面に前記左後板との角度が可変となるように連結され、前記左後板が縮んだ状態では右斜め前方に向かって突出する左外支持板（５００）と、
前記右後板の前記右折曲部より右方の前面に前記右後板との角度が可変となるように連結され、前記右後板が縮んだ状態では左斜め前方に向かって突出する右外支持板（６００）と、
前記中央後板の前面に該中央後板との角度が可変となるように連結され、前記左後板が縮んだ状態では左斜め前方に向かって突出し、前部において前記左外支持板の前部に該左外支持板との挟角（５３０）が可変に係止した左内支持板（５５０）と、
前記中央後板の前面に該中央後板との角度が可変となるように連結され、前記右後板が縮んだ状態では右斜め前方に向かって突出し、前部において前記右外支持板の前部に該右外支持板との挟角（６３０）が可変に係止した右内支持板（６５０）と、
左端が前記左後板の左端に、右端が前記右後板の右端に連結され、前記左外支持板、前記右外支持板、前記左内支持板および前記右内支持板の前端より前方に位置して上下方向に延在する前板（７００）と、
前記中央後板の上端近傍の前面に上方に傾倒可能に連結され、前記左外支持板、前記右外支持板、前記左内支持板および前記右内支持板の少なくともいずれかの上端に載置される棚板（８００）とを備え、
該棚板を上方に傾倒し、前記左折曲部により前記左後板を左方に伸ばし、前記右折曲部により前記右後板を右方に伸ばすことで、前記左外支持板と前記左内支持板との左係止部（５２０）が前記後方に向けて移動し、前記右外支持板と前記右内支持板との右係止部（６２０）が前記後方に向けて移動し、前記左外支持板、前記左内支持板、前記右外支持板、前記右内支持板および前記前板が前記中央後板、前記左後板および前記右後板と平行となり、全体として平板状に折り畳み可能な折り畳み式陳列棚。
【請求項２】
前記中央後板および前記左後板が、互いに左右方向に引き合うように付勢する第１の弾性材（Ｒ１，Ｒ３）を架け渡す第１の弾性材保持部（２１０ｃ，２１０ｅ，３２０ｂ，３２０ｄ）をそれぞれ有し、且つ前記中央後板および前記右後板が、互いに左右方向に引き合うように付勢する第２の弾性材（Ｒ２，Ｒ３）を架け渡す第２の弾性材保持部（２１０ｄ，２１０ｆ，４２０ｂ，４２０ｄ）をそれぞれ有していることを特徴とする請求項１に記載の折り畳み式陳列棚
【請求項３】
前記前板が、前記左後板および前記右後板が縮んだ状態では、上方から見て半円形に膨らむことを特徴とする請求項１または２に記載の折り畳み式陳列棚。
【請求項４】
前記棚板が、前記半円形と略同一形状の外形を有することを特徴とする請求項３に記載の折り畳み式陳列棚
【請求項５】
前記棚板が、前記中央後板、前記左後板、前記右後板および前記前板に囲まれた空間内に収容された状態で、前記左外支持板、前記右外支持板、前記左内支持板および前記右内支持板の少なくともいずれかの上端に載置されることを特徴とする請求項１〜４のいずれか１項に記載の折り畳み式陳列棚。
【請求項６】
前記左外支持板が上端から下方に延びる左外係合溝（５１０）を有し、前記左内支持板が下端から上方に延び前記左外係合溝と互いに係合して前記左外支持板との前記係合部を形成する左内係合溝（５６０）を有し、前記右外支持板が上端から下方に延びる右外係合溝（６１０）を有し、前記右内支持板が下端から上方に延び前記右外係合溝と互いに係合して前記右外支持板との前記係合部を形成する左内係合溝（６６０）を有することを特徴とする請求項１〜５のいずれか１項に記載の折り畳み式陳列棚。
【請求項７】
前記中央後板、前記左後板、前記右後板、前記左外支持板、前記右外支持板、前記左内支持板、前記右内支持板、前記前板および前記棚板が段ボールまたは厚紙からなるシート材であることを特徴とする請求項１〜６のいずれか１項に記載の折り畳み式陳列棚。
【請求項８】
前記中央後板が差込口（２４１）をそれぞれ有し、
該差込口に差込可能な差込片を有するパネル板（９００）を備えた請求項１〜７のいずれか１項に記載の折り畳み式陳列棚。
【請求項９】
前記パネル板が段ボールまたは厚紙からなるシート材であることを特徴とする請求項８に記載の折り畳み式陳列棚。
【考案の詳細な説明】
【技術分野】
【０００１】
本考案は折り畳み式の陳列棚に関する。
【背景技術】
【０００２】
従来、店頭や展示会場においては、たとえば新商品等の販促品を展示するため、陳列棚が利用されている。そして、この陳列棚には、機能面において、陳列する商品の荷重に耐えられるだけの剛性が要求されるだけではなく、組み立てや分解等の作業面や保管面での利便性も要求される。
【０００３】
文献１には、紙材からなる背面壁部、一対の側面壁部、棚板および合成樹脂からなる棚板支持部を備え、ファスナにより棚板支持部を一対の側面壁部に固定して棚を形成する技術が提案されている。また、文献２には、支持側板に段ボールシートからなる折り畳み自在な棚支持部材を複数積み重ね、支持側板にピンで固定して棚を形成する技術が提案されている。
【先行技術文献】
【特許文献】
【０００４】
【特許文献１】実用新案登録第３１８５７１６号
【特許文献２】実用新案登録第３１８９３６２号
【考案の概要】
【考案が解決しようとする課題】
【０００５】
しかしながら、文献１および２に提案されている技術では、組み立てる際、ファスナまたはピンで棚板を固定するための工具を必要とする可能性がある。また、ファスナまたはピンにより固定された棚板は必ずしも分解が容易であるとは言えない。さらに、陳列棚が不要になった場合、ファスナやピン等の固定部品は必ずしも廃棄が容易であるとは言えない。
【０００６】
本考案は、上記事情に鑑み、組み立て分解が容易であり、且つ廃棄もし易い折り畳み式陳列棚を提供することを目的とする。
【課題を解決するための手段】
【０００７】
上記課題を解決するために、本考案の折り畳み式陳列棚は、上下方向に延在する中央後板と、中央後板の左端に連結された左折曲部を有する、中央後板から左方に延びる左後板であって、左折曲部を前方から見て山折りすることで右方に縮み、山折りを展開することで左方に伸びる左後板と、中央後板の右端に連結された右折曲部を有する、中央後板から右方に延びる右後板であって、右折曲部を前方から見て山折りすることで左方に縮み、山折りを展開することで右方に伸びる右後板と、左後板の左折曲部より左方の前面に左後板との角度が可変となるように連結され、左後板が縮んだ状態では右斜め前方に向かって突出する左外支持板と、右後板の右折曲部より右方の前面に右後板との角度が可変となるように連結され、右後板が縮んだ状態では左斜め前方に向かって突出する右外支持板と、中央後板の前面に中央後板との角度が可変となるように連結され、左後板が縮んだ状態では左斜め前方に向かって突出し、前部において左外支持板の前部に左外支持板との挟角が可変に係止した左内支持板と、中央後板の前面に中央後板との角度が可変となるように連結され、右後板が縮んだ状態では右斜め前方に向かって突出し、前部において右外支持板の前部に右外支持板との挟角が可変に係止した右内支持板と、左端が左後板の左端に、右端が右後板の右端に連結され、左外支持板、右外支持板、左内支持板および右内支持板の前端より前方に位置して上下方向に延在する前板と、中央後板の上端近傍の前面に上方に傾倒可能に連結され、左外支持板、右外支持板、左内支持板および右内支持板の少なくともいずれかの上端に載置される棚板とを備え、棚板を上方に傾倒し、左折曲部により左後板を左方に伸ばし、右折曲部により右後板を右方に伸ばすことで、左外支持板と左内支持板との左係止部が後方に向けて移動し、右外支持板と右内支持板との右係止部が後方に向けて移動し、左外支持板、左内支持板、右外支持板、右内支持板および前板が中央後板、左後板および右後板と平行となり、全体として平板状に折り畳み可能であることを特徴とする。
【０００８】
本考案の折り畳み式陳列棚において、「左端に連結」および「右端に連結」とは、左端または右端の全部に連結することに限定されるものではなく、その一部に連結している状態を広く意味する。また、上記「折曲部」とは、折り曲げ、そして折り曲げからの展開が可能である部分を意味する。また、上記「挟角が可変に係止」とは、挟角の頂点が固定された状態でその角度が変化するように係止されることを意味する。また、上記「前部」とは、前端および前端近傍を含む部分を意味し、前端近傍とは前端より全体長の４０パーセント程度の範囲の領域である。
【０００９】
また、本考案の折り畳み式陳列棚は、中央後板および左後板が、互いに左右方向に引き合うように付勢する第１の弾性材を架け渡す第１の弾性材保持部をそれぞれ有し、且つ中央後板および右後板が、互いに左右方向に引き合うように付勢する第２の弾性材を架け渡す第２の弾性材保持部をそれぞれ有していてもよい。
【００１０】
また、本考案の折り畳み式陳列棚において、前板は、左後板および右後板が縮んだ状態では、上方から見て半円形に膨らんでいてもよい。また、棚板は、半円形と略同一形状の外形を有していてもよい。
【００１１】
また、本考案の折り畳み式陳列棚において、棚板が、中央後板、左後板、右後板および前板に囲まれた空間内に収容された状態で、左外支持板、右外支持板、左内支持板および右内支持板の少なくともいずれかの上端に載置されることが望ましい。
【００１２】
また、本考案の折り畳み式陳列棚において、左外支持板が上端から下方に延びる左外係合溝を有していてもよく、左内支持板が下端から上方に延び左外係合溝と互いに係合して左外支持板との係合部を形成する左内係合溝を有してもよく、右外支持板が上端から下方に延びる右外係合溝を有していてもよく、右内支持板が下端から上方に延び右外係合溝と互いに係合して右外支持板との係合部を形成する左内係合溝を有していてもよい。
【００１３】
また、本考案の折り畳み式陳列棚において、中央後板が差込口をそれぞれ有していてもよく、その差込口に差込可能な差込片を有するパネル板を備えていてもよい。
【００１４】
また、本考案の折り畳み式陳列棚において、中央後板、左後板、右後板、左外支持板、右外支持板、左内支持板、右内支持板、前板、棚板、パネル板は、段ボールまたは厚紙からなるシート材であることが望ましい。
【考案の効果】
【００１５】
本考案の折り畳み式陳列棚によれば、棚板を上方に傾倒し、左折曲部により左後板を左方に伸ばし、右折曲部により右後板を右方に伸ばすことで、左外支持板と左内支持板との左係止部が後方に向けて移動し、右外支持板と右内支持板との右係止部が後方に向けて移動し、左外支持板、左内支持板、右外支持板、右内支持板および前板が中央後板、左後板および右後板と平行となり、全体として平板状に折り畳み可能であるため、工具を必要とせずに容易に組み立ておよび分解ができ、ファスナやピン等の固定部品も必要としないため、不要になった場合の廃棄も容易である。
【図面の簡単な説明】
【００１６】
【図１】折り畳み式陳列棚の全体を示す斜視図
【図２】前方に倒した折り畳み式陳列棚を後方から見た斜視図
【図３】後方に倒した折り畳み式陳列棚を前方から見た斜視図
【図４】パネル板の着脱態様を示す斜視図
【図５】棚板を上方に傾倒させる態様を示す斜視図
【図６】前方に倒した折り畳み式陳列棚の折り畳み、組み立て、中間の各状態を後方から見た斜視図
【図７】折り畳み式陳列棚の折り畳みおよび組み立ての態様を示す図
【考案を実施するための形態】
【００１７】
本考案に係る折り畳み式陳列棚の一実施形態について図面を参照して詳細に説明する。また、以下の説明においては、図中のＸ軸方向を左右方向、Ｙ軸方向を前後方向、Ｚ軸方向を上下方向として説明する。また、Ｘ軸方向の長さを幅、Ｙ軸方向の長さを奥行、Ｚ軸方向の長さを高さとして説明する。
【００１８】
図１は本考案の一実施形態である折り畳み式陳列棚１００の全体を示す斜視図である。折り畳み式陳列棚１００は、図１に示すように、中央後板２００と、中央後板２００から左方に延びる左後板３００と、中央後板２００から右方に延び右後板４００と、左後板３００に連結された左外支持板５００と、中央後板２００に連結された左内支持板５５０と、右後板４００に連結された右外支持板６００と、中央後板２００に連結された右内支持板６５０と、左後板３００の左端および右後板４００の右端にそれぞれ連結された前板７００と、中央後板２００の前面に上方に傾倒可能に連結された棚板８００と、中央後板２００の上端に取り付けられたパネル板９００と構成されている。
【００１９】
中央後板２００、左後板３００、右後板４００、左外支持板５００、左内支持板５５０、右外支持板６００、右内支持板６５０、前板７００は上下方向にそれぞれ延在している。中央後板２００、左後板３００、右後板４００および前板７００は、左外支持板５００、左内支持板５５０、右外支持板６００、右内支持板６５０よりも高くなっている。
【００２０】
また、中央後板２００、左後板３００、右後板４００、左外支持板５００、左内支持板５５０、右外支持板６００、右内支持板６５０、前板７００、棚板８００およびパネル板９００は、いずれも段ボールや厚紙等のシート材から形成されている。中央後板２００、左後板３００、右後板４００、左外支持板５００、左内支持板５５０、右外支持板６００、右内支持板６５０、前板７００、棚板８００およびパネル板９００の材質は廃棄が容易なシート材であれば特に限定されるものではない。
【００２１】
中央後板２００、左後板３００および右後板４００について説明する。図２は前方に倒した状態の折り畳み式陳列棚１００を後方から見た斜視図である。なお、図２においてはパネル板９００の図示を省略している。
【００２２】
中央後板２００は、本体後板２１０と、本体後板２１０の本体上部２１０ａの後面に固定された厚調整上板２２０と、本体後板２１０の本体下部２１０ｂの後面に固定された厚調整下板２３０と、本体上部２１０ａの前面に取り付けられ、且つ厚調整上板２２０の後面に着脱自在に取り付けられる上部カバー板２４０と、本体下部２１０ｂの前面に取り付けられ、且つ厚調整下板２３０の後面に着脱自在に取り付けられる下部カバー板２５０とから構成される。そして、上部カバー板２４０は、本体上部２１０ａおよび厚調整上板２２０を覆い、下部カバー板２５０は、本体下部２１０ｂおよび厚調整下板２３０を覆っている。
【００２３】
左後板３００は、本体後板２１０の本体中間部２１０ｇの前方から見た左端と連結する左折曲部３１０と、左折曲部３１０と連結して前方から見て左方に延びる本体左後板３２０とからなる。
【００２４】
左折曲部３１０は、左折曲線３１１を有しており、左折曲線３１１に沿って前方から見て山折り自在となっている。そして、左後板３００は、左折曲部３１０が山折りされることで前方から見て右方に縮み、左折曲部３１０が展開されると前方から見て左方に伸びる。左折曲線３１１は左折曲部３１０上に形成された折り目やミシン目等である。
【００２５】
右後板４００は、本体後板２１０の本体中間部２１０ｇの前方から見た右端と連結する右折曲部４１０と、右折曲部４１０と連結して前方から見て右方に延びる本体右後板４２０とからなる。
【００２６】
右折曲部４１０は、右折曲線４１１を有しており、右折曲線４１１に沿って前方から見て山折り自在となっている。そして、右後板４００は、右折曲部４１０が山折りされることで前方から見て左方に縮み、右折曲部４１０が展開されると前方から見て右方に伸びる。右折曲線４１１は右折曲部４１０上に形成された折り目やミシン目等である。
【００２７】
本体上部２１０ａには、ハの字状の本体左上切込２１０ｃおよび本体右上切込２１０ｄがそれぞれ形成されている。また、本体下部２１０ｂには、ハの字状の本体左下切込２１０ｅおよび本体右下切込２１０ｆがそれぞれ形成されている。
【００２８】
また、本体左後板３２０の左本体上部３２０ａにはハの字状の左本体上切込３２０ｂ、本体左後板３２０の左本体下部３２０ｃには直線状の左本体下切込３２０ｄがそれぞれ形成されている。また、本体右後板４２０の右本体上部４２０ａにはハの字状の右本体上切込４２０ｂ、本体右後板４２０の右本体下部４２０ｃには直線状の右本体下切込４２０ｄがそれぞれ形成されている。
【００２９】
本体左上切込２１０ｃと左本体上切込３２０ｂには左上弾性リングＲ１が係入され、本体上部２１０ａと左本体上部３２０ａとが互いに引き合うように付勢している。また、本体右上切込２１０ｄと右本体上切込４２０ｂには右上弾性リングＲ２が係入され、本体上部２１０ａと右本体上部４２０ａとが互いに引き合うように付勢している。
【００３０】
本体左下切込２１０ｅと左本体下切込３２０ｄには左下弾性リングＲ３が係入され、本体下部２１０ｂと左本体下部３２０ｃとが互いに引き合うように付勢している。また、本体右下切込２１０ｆと右本体下切込４２０ｄには右下弾性リングＲ４が係入され、本体下部２１０ｂと右本体下部４２０ｃとが互いに引き合うように付勢している。
【００３１】
左折曲部３１０は、左上弾性リングＲ１および左下弾性リングＲ３の付勢により、山折りされる。そして、左折曲部３１０の山折りは、左上弾性リングＲ１および左下弾性リングＲ３の付勢に抗するかもしくは左上弾性リングＲ１および左下弾性リングＲ３を取り外した状態で左本体後板３２０を左方に移動させることで展開される。このように、左後板３００は、左折曲部３１０の山折りまたはその展開により、左右方向に伸縮自在になっている。
【００３２】
右折曲部４１０は、右上弾性リングＲ２および右下弾性リングＲ４の付勢により、山折りされる。そして、右折曲部４１０の山折りは、右上弾性リングＲ２および右下弾性リングＲ４の付勢に抗するかもしくは右上弾性リングＲ２および右下弾性リングＲ４を取り外した状態で右本体後板４２０を右方に移動させることで展開される。このように、右後板４００も、右折曲部４１０の山折りまたはその展開により、左右方向に伸縮自在になっている。また、左上弾性リングＲ１、右上弾性リングＲ２、左下弾性リングＲ３および右下弾性リングＲ４には、たとえばゴム輪等を使用できる。
【００３３】
上部カバー板２４０にはカバー板上ファスナ２４０ａ、厚調整上板２２０には調整板上ファスナ２２０ａがそれぞれ貼付されている。そして、上部カバー板２４０は、カバー板上ファスナ２４０ａおよび調整板上ファスナ２２０ａを介して、厚調整上板２２０の後面に着脱自在に取り付けられる。
【００３４】
また、下部カバー板２５０にはカバー板下ファスナ２５０ａ、厚調整下板２３０には調整板下ファスナ２３０ａがそれぞれ貼付されている。そして、下部カバー板２５０は、カバー板下ファスナ２５０ａおよび調整板下ファスナ２３０ａを介して、厚調整下板２３０の後面に着脱自在に取り付けられる。なお、調整板上ファスナ２２０ａ、カバー板上ファスナ２４０ａ、調整板下ファスナ２３０ａおよびカバー板下ファスナ２５０ａには、たとえば面ファスナや両面テープを使用できる。
【００３５】
このように、上部カバー板２４０および下部カバー板２５０は、その着脱が自在であるため、組み立て時に左上弾性リングＲ１、右上弾性リングＲ２、左下弾性リングＲ３および右下弾性リングＲ４を本体左上切込２１０ｃ、本体右上切込２１０ｄ、本体左下切込２１０ｅ、本体右下切込２１０ｆ、左本体上切込３２０ｂ、左本体下切込３２０ｄ、右本体上切込４２０ｂ、右本体下切込４２０ｄにそれぞれ取り付け易く、且つ折り畳み時には取り外し易い。
【００３６】
厚調整上板２２０は、上部カバー板２４０が厚調整上板２２０に取り付けられた状態において、上部カバー板２４０と左本体上部３２０ａおよび右本体上部４２０ａとの間に隙間を形成する。また、厚調整下板２３０も、下部カバー板２５０が厚調整下板２３０に取り付けられた状態において、下部カバー板２５０と左本体下部３２０ｃおよび右本体下部４２０ｃとの間に隙間を形成する。
【００３７】
したがって、厚調整上板２２０により、伸縮時において、左本体上部３２０ａ、右本体上部４２０ａ、左上弾性リングＲ１および右上弾性リングＲ２と上部カバー板２４０との接触が低減される。また、厚調整下板２３０により、伸縮時において、左本体下部３２０ｃ、右本体下部４２０ｃ、左下弾性リングＲ３および右下弾性リングＲ４と下部カバー板２５０と接触が低減される。これにより、左後板３００および右後板４００は左右方向に伸縮し易くなっている。
【００３８】
左外支持板５００、左内支持板５５０、右外支持板６００、右内支持板６５０および前板７００について説明する。図３は、後方に倒した状態の折り畳み式陳列棚１００を前方から見た斜視図である。図３において、左図は左後板３００および右後板４００が縮んだ状態、右図は左図の状態から左後板３００および右後板４００が伸びた状態をそれぞれ示している。ただし、右図の状態は、左後板３００および右後板４００が完全に伸びた状態ではない。なお、図３においては、棚板８００を上方に傾倒させており、パネル板９００の図示は省略している。
【００３９】
左外支持板５００は、本体左後板３２０の前面に本体左後板３２０との角度が可変となるように連結されている。本実施形態において、左外支持板５００は、本体左後板３２０の左端近傍に連結されているが、本体左後板３２０上である限り、その位置は特に限定されるものではない。左外支持板５００は、図３に示すように、左後板３００が縮んだ状態において右斜め前方に突出している。
【００４０】
右外支持板６００は、本体右後板４２０の前面に本体右後板４２０との角度が可変となるように連結されている。本実施形態において、右外支持板６００は、本体右後板４２０の右端近傍に連結されているが、本体右後板４２０上である限り、その位置は特に限定されるものではない。右外支持板６００は、図３に示すように、右後板４００が縮んだ状態において左斜め前方に突出している。
【００４１】
左内支持板５５０は、本体後板２１０の前面に本体後板２１０との角度が可変となるように連結されている。また、右内支持板６５０は、本体後板２１０の前面に本体後板２１０との角度が可変となるように連結されている。本実施形態において、左内支持板５５０および右内支持板６５０は、本体後板２１０の左右方向の中間近傍に連結されているが、本体後板２１０上であり、左内支持板５５０が右内支持板６５０の左方に位置する限り、その位置は限定されるものではない。
【００４２】
左外支持板５００はその上端から下方に延びる左外係合溝５１０を有しており、右外支持板６００もその上端から下方に延びる右外係合溝６１０を有している。また、左内支持板５５０はその下端から上方に延びる左内係合溝５６０を有しており、右内支持板６５０もその下端から上方に延びる右内係合溝６６０を有している。
【００４３】
左外支持板５００と左内支持板５５０は、左外係合溝５１０と左内係合溝５６０とを互いに係合させた左係止部５２０により係止されている。また、右外支持板６００と右内支持板６５０は、右外係合溝６１０と右内係合溝６６０とを互いに係合した右係止部６２０により係止されている。
【００４４】
左係止部５２０を頂点とする、左外支持板５００と左内支持板５５０とによる挟角５３０はその角度が可変である。また、挟角５３０の角度が変化した場合であっても、左係止部５２０の左外係合溝５１０および左内係合溝５６０上の位置は変化しない。
【００４５】
右係止部６２０を頂点とする、右外支持板６００と右内支持板６５０とによる挟角６３０はその角度が可変である。また、挟角６３０の角度が変化した場合であっても、右係止部６２０の右外係合溝６１０および右内係合溝６６０上の位置は変化しない。
【００４６】
本実施形態において、左係止部５２０は、左外支持板５００および左内支持板５５０の前部にあるが、左外係合溝５１０および左内係合溝５６０の位置をそれぞれ変更することにより、適宜調整可能であり、右係止部６２０も、右外支持板６００および右内支持板６５０の前部にあるが、右外係合溝６１０および右内係合溝６６０の位置をそれぞれ変更することにより、適宜調整可能である。前部は、前端から全体長さの４０パーセント程度の後方の範囲であることが望ましい。
【００４７】
左内支持板５５０は、図３に示すように、左後板３００が縮んだ状態において左斜め前方に突出しており、右内支持板６５０は、右後板４００が縮んだ状態において右斜め前方に突出している。
【００４８】
また、左係止部５２０は、図３に示すように、左後板３００が伸びると後方へ移動し、右係止部６２０も、右後板４００が伸びると後方へ移動する。本実施形態において、左係止部５２０は左外係合溝５１０と左内係合溝５６０とで形成され、右係止部６２０は右外係合溝６１０と右内係合溝６６０とで形成されているが、挟角５３０および挟角６３０が可変な状態で互いに係止できる構造であれば、特に限定されるものではない。
【００４９】
前板７００は、図３に示すように、左端が左後板３００に、右端が右後板４００に連結されている。そして、前板７００は、左外支持板５００、左内支持板５５０、右外支持板６００および右内支持板６５０のいずれの前端よりも前方に位置している。
【００５０】
したがって、前板７００は、左後板３００および右後板４００が縮むと、左外支持板５００、左内支持板５５０、右外支持板６００および右内支持板６５０の少なくともいずれかの前端に内周面７１０が押されて前方に膨らんだ状態になる。
【００５１】
本実施形態において、膨らんだ状態の前板７００は上方もしくは後方から見て半円形を有している。しかしながら、膨らんだ状態の前板７００の形状は特に限定されるものではない。たとえば左外支持板５００、左内支持板５５０、右外支持板６００および右内支持板６５０の長さを調整したり、前板７００に折り目等を形成することで楕円形、台形等にすることも可能である。
【００５２】
パネル板９００について説明する。図４はパネル板９００を着脱する態様を示す斜視図である。上部カバー板２４０は上端に２つの差込口２４１を有している。パネル板９００は、上部カバー板２４０と略同一の幅を有する矩形状であり、下端に２つの差込片９１０を有している。
【００５３】
差込口２４１のピッチと差込片９１０のピッチは等しくなっている。そして、パネル板９００は、図４に示すように、パネル板９００の下端が上部カバー板２４０の上端に当接するまで差込片９１０を差込口２４１に差し込むことで、上部カバー板２４０の上端に取り付けられる。
【００５４】
また、パネル板９００は、差込口２４１から差込片９１０を引き抜くことで、上部カバー板２４０から取り外すことができる。このように、パネル板９００は、着脱自在であり、陳列される商品等の広告および宣伝が容易に行える。
【００５５】
棚板８００について説明する。図５は棚板８００を傾倒させる態様を示す斜視図である。棚板８００は、図５に示すように、上部カバー板２４０の前面に上方に傾倒可能に連結されている。また、棚板８００は、下方へ倒した状態において、左外支持板５００、左内支持板５５０、右外支持板６００および右内支持板６５０の上端の少なくとも１つと当接し、その上に載置されている。
【００５６】
また、下方へ倒した棚板８００は、中央後板２００、左後板３００、右後板４００および前板７００に囲まれた空間内で載置されている。これにより、棚板８００に陳列された商品が前方に落下することを防止できる。
【００５７】
また、棚板８００は、膨らんだ状態の前板７００との間に隙間がないように、膨らんだ状態の前板７００と略同一形状を有している。これにより、棚板８００に陳列された商品が前板７００との隙間から落下することを防止できる。本実施形態において、棚板８００は半円形の外形を有しているが、膨らんだ状態の前板７００の形状に応じて適宜変更可能である。また、棚板８００は、ユーザが手指を差し込むことで上方に傾倒し易くする切欠８１０を有している。
【００５８】
図６は前方に倒した状態の折り畳み式陳列棚１００の折り畳み状態、組み立て状態、その中間状態を後方から見た斜視図である。また、図６は棚板８００およびパネル板９００の図示は省略している。また、図６の左図は折り畳み状態、図６の右図は組み立て状態、図６の中図は折り畳み状態と組み立て状態との中間状態をそれぞれ示している。
【００５９】
組み立て状態において、左折曲部３１０および右折曲部４１０はそれぞれ山折りされており、左後板３００および右後板４００が縮んだ状態にある。また、左本体上部３２０ａおよび右本体上部４２０ａは上部カバー板２４０内にあり、左本体上部３２０ｃおよび右本体上部４２０ｃも下部カバー板２５０内にある。
【００６０】
そして、左外支持板５００および右内支持板６５０は右斜め前方、左内支持板５５０および右外支持板６００は左斜め前方にされそれぞれ突出しており、前板７００も前方に膨らんでいる。
【００６１】
本体左後板３２０を前方から見て左方へ、本体右後板４２０を前方から右方へそれぞれ移動させると、左折曲部３１０および右折曲部４１０が徐々に展開され、左係止部５２０および右係止部６２０が徐々に後方へ移動し、左外支持板５００、左内支持板５５０、右外支持板６００、右内支持板６５０および前板７００が、中央後板２００、左後板３００、右後板４００と徐々に平行になる。
【００６２】
折り畳み状態において、左折曲部３１０および右折曲部４１０は完全に展開され、左外支持板５００、左内支持板５５０、右外支持板６００、右内支持板６５０および前板７００が、中央後板２００、左後板３００および右後板４００に平行になる。
【００６３】
図７は折り畳み式陳列棚１００の折り畳みから組み立てまでの各状態を示す図である。組み立て状態にある折り畳み式陳列棚１００（図中Ｓ６参照）からパネル板９００を取り外す（図中Ｓ４およびＳ５参照）。そして、棚板８００を上方に傾倒させる（図中Ｓ２およびＳ３参照）。そして、左後板３００および右後板４００を伸長させて、全体として平板状に折り畳む（図中Ｓ１参照）。
【００６４】
ここで、棚板８００の上方への傾倒を先に行い、パネル板９００の着脱が後でもよい。そして、折り畳み式陳列棚１００は、上記手順を逆に行うことにより、組み立てが可能であり、その詳細な説明は省略する。また、左上弾性リングＲ１、右上弾性リングＲ２、左下弾性リングＲ３および右下弾性リングＲ４の取り付けおよび取り外しは組み立て状態（図中Ｓ６参照）で行うことが望ましい。
【００６５】
以上に説明した通り、上記実施形態によれば、折り畳み式陳列棚１００は、棚板８００を上方に傾倒させ、左折曲部３１０の山折りを展開して本体左後板３２０を左方に伸ばし、右折曲部４２０の山折りを展開して本体右後板４２０を右方に伸ばすことで、左外支持板５００と左内支持板５００との左係止部５２０が後方に移動し、右外支持板６００と右内支持板６５０との右係止部６２０が後方に移動し、左外支持板５００、左内支持板５５０、右外支持板６００、右内支持板６５０および前板７００が中央後板２００、左後板３００および右後板４００と平行となり、全体として平板状に折り畳まれるため、組み立ておよび分解が容易であり、固定部材が不要なため廃棄も容易である。
【００６６】
また、本実施形態によれば、左上弾性リングＲ１を係入させる本体左上切込２１０ｃおよび左本体上切込３２０ｂ、右上弾性リングＲ２を係入させる本体右上切込２１０ｄおよび右本体上切込４２０ｂ、左下弾性リングＲ３を係入させる本体左下切込２１０ｅおよび左本体下切込３２０ｄ、右下弾性リングＲ４が係入させる本体右下切込２１０ｆおよび右本体下切込４２０ｄを備えているため、左上弾性リングＲ１、右上弾性リングＲ２、左下弾性リングＲ３および右下弾性リングＲ４の各付勢より、組み立て状態が維持し易くなり、且つ組み立て、分解および廃棄も容易である。
【００６７】
また、本実施形態によれば、中央後板２００、左後板３００、右後板４００、左外支持板５００、右外支持板６００、左内支持板５５０、右内支持板６５０、前板７００、棚板８００およびパネル板９００は、段ボールまたは厚紙からなるシート材であるため、不要になった場合の廃棄もさらに容易である。
【符号の説明】
【００６８】
Ｒ１      左上弾性リング（第１の弾性材）
Ｒ２      右上弾性リング（第２の弾性材）
Ｒ３      左下弾性リング（第１の弾性材）
Ｒ４      右下弾性リング（第２の弾性材）
１００    折り畳み式陳列棚
２００    中央後板
２１０ｃ  本体左上切込（第１の弾性材保持部）
２１０ｄ  本体右上切込（第２の弾性材保持部）
２１０ｅ  本体左下切込（第１の弾性材保持部）
２１０ｆ  本体右下切込（第２の弾性材保持部）
２４１    差込口
３００    左後板
３１０    左折曲部
３２０ｂ  左本体上切込（第１の弾性材保持部）
３２０ｄ  左本体下切込（第１の弾性材保持部）
４００    右後板
４１０    右折曲部
４２０ｂ  右本体上切込（第２の弾性材保持部）
４２０ｄ  右本体下切込（第２の弾性材保持部）
５００    左外支持板
５１０    左外係合溝
５２０    左係止部
５３０    挟角
５５０    左内支持板
５６０    左内係合溝
６００    右外支持板
６１０    右外係合溝
６２０    右係止部
６３０    挟角
６５０    右内支持板
６６０    右内係合溝
７００    前板
８００    棚板
９００    パネル板
９１０    差込片
【図１】
0003195976.tif 000003
【図２】
0003195976.tif 000004
【図３】
0003195976.tif 000005
【図４】
0003195976.tif 000006
【図５】
0003195976.tif 000007
【図６】
0003195976.tif 000008
【図７】
0003195976.tif 000009